(57)【特許請求の範囲】
【請求項１】
基板処理装置の性能測定を行うための温度計測装置であって、
基板処理装置における処理部に配設される温度測定用基板と、
前記基板に固定された温度センサと、
前記温度センサの電極と接続された一対の導電性金属パターンが形成された樹脂製のプリント配線基板と、
前記一対の導電性金属パターンと接続された一対の導線と、
前記一対の導線と接続された温度計測部と、
を備え、
前記一対の導電性金属パターンは、
前記温度センサにおける一対の電極と接続された第１パターン部と、
前記一対の導線と接続された第２パターン部と、
前記第１パターン部と前記第２パターン部とを接続する、前記第１パターン部および前記第２パターン部より熱抵抗が大きい接続部と、
を備えたことを特徴とする温度計測装置。
【請求項２】
請求項１に記載の温度測定装置において、
前記樹脂性のプリント配線基板は、５００μｍから３０μｍの厚みを有し、屈曲可能である温度計測装置。
【請求項３】
請求項１または請求項２に記載の温度計測装置において、
前記基板に接着されるとともに、その内部に前記導線を収納するチューブ状の固定部材を備える温度計測装置。
【請求項４】
基板処理装置の性能測定を行うための温度計測装置に使用する温度センサの校正を行う温度校正方法であって、
導電性金属パターンが形成された樹脂製のプリント配線基板に対して、基板処理装置における処理部に配設される温度測定用基板に固定される全ての温度センサと、この温度センサに対応する対をなす導線とを接続する接続工程と、
プリント配線基板をそこに接続された温度センサおよび導線とともに、温度制御された液体中に浸漬し、そのときの温度センサの出力信号を測定する動作を液体の温度を変更して複数回実行する測定工程と、
前記測定工程における液体の温度と、そのときの温度センサの出力信号とに基づいて、センサの温度校正を行う校正工程と、
を備えたことを特徴とする温度校正方法。
【請求項５】
請求項４に記載の温度校正方法において、
前記樹脂性のプリント配線基板は、極薄で屈曲可能であり、
前記測定工程においては、前記プリント配線基板を屈曲させて複数の温度センサをまとめた状態でオイルバス内に投入する温度校正方法。
【請求項６】
請求項４または請求項５に記載の温度校正方法において、
前記測定工程は、
温度制御された液体中に浸漬された複数の温度センサのうち、一つの温度センサについて、そのときの出力信号を測定するステップと、
前記液体に浸漬されている前記一つのセンサの出力値と他の温度センサの個々の出力値とを比較することによって、前記一つのセンサと他の温度センサとが同じ温度の液体に浸漬されたときの、前記一つのセンサの出力値に対する他のセンサの各々の出力値の相関データを把握するステップとを含み、
前記校正工程においては、前記一つの温度センサについては、前記測定工程における液体の温度と、そのときの温度センサの出力信号とに基づいて温度校正を行い、他の温度センサについては、前記一つの温度センサを基準として、前記相関データを用いて校正を行う温度校正方法。
【発明の詳細な説明】
【技術分野】
【０００１】
この発明は、基板処理装置の性能測定に使用する温度計測装置およびこの温度計測装置に使用するセンサ部の校正方法に関する。
【背景技術】
【０００２】
例えば、半導体ウエハや液晶表示パネル用ガラス基板あるいは半導体製造装置用マスク基板等の基板を熱処理する熱処理装置においては、ホットプレートやクールプレート等の熱処理プレート上に基板を載置して熱処理を実行している。このような場合には、熱処理される基板の温度を測定する必要がある。このような処理中の基板の温度の測定は、熱処理装置のみではなく、フォトレジストを塗布するコータや、フォトレジストの現像処理を行うデベロッパにおいても必要となる場合がある。
【０００３】
ところで、このような基板の温度測定を行う場合、実際に処理を実行中の基板の温度を測定することは困難である。このため、一般的には、白金抵抗体や熱電対等の温度検知部材を使用した温度センサや、水晶振動子の共振周波数を利用した温度センサを温度測定用基板に埋め込み、この温度測定用基板を熱処理装置等の基板処理装置の処理部に設置して、この温度測定用基板の温度を測定することにより、基板処理装置により処理される基板の温度を測定するようにしている（例えば、特許文献１参照）。
【特許文献１】特開２００８−１４０８３３号公報
【発明の開示】
【発明が解決しようとする課題】
【０００４】
前記特許文献には、基板に複数の温度センサを接着固定し、それら各センサごとに別々の導線を接続し、それら各導線を基板に接着した温度測定用基板が記載されている。
【０００５】
このように、温度センサの端子と導線とを接合した場合に、機械的強度を得るために接合部に太い導線を使用すると、導線を通じて放熱が生じ、温度測定誤差を発生する。また、接合部の接合状態が均一になっていない場合にも、温度測定誤差を発生する。
【０００６】
このため、この発明の目的は、簡易な構成でありながら温度測定用基板の温度を正確に測定することが可能な温度計測装置を提供することにある。
【０００７】
また、この発明の他の目的は、温度測定用基板の温度を正確に測定することを可能とするため、温度計測装置に使用する温度センサの温度校正を正確に行うことができる温度校正方法を提供することにある。
【課題を解決するための手段】
【０００８】
請求項１に記載の発明は、基板処理装置の性能測定を行うための温度計測装置であって、基板処理装置における処理部に配設される温度測定用基板と、前記基板に固定された温度センサと、前記温度センサの電極と接続された一対の導電性金属パターンが形成された樹脂製のプリント配線基板と、前記一対の導電性金属パターンと接続された一対の導線と、前記一対の導線と接続された温度計測部と、を備え、前記一対の導電性金属パターンは、前記温度センサにおける一対の電極と接続された第１パターン部と、前記一対の導線と接続された第２パターン部と、前記第１パターン部と前記第２パターン部とを接続する、前記第１パターン部および前記第２パターン部より熱抵抗が大きい接続部と、を備えたことを特徴とする。
【０００９】
請求項２に記載の発明は、請求項１に記載の発明において、前記樹脂性のプリント配線基板は、５００μｍから３０μｍの厚みを有し、屈曲可能である。
【００１０】
請求項３に記載の発明は、請求項１または請求項２に記載の発明において、前記基板に接着されるとともに、その内部に前記導線を収納するチューブ状の固定部材を備える。
【００１１】
請求項４に記載の発明は、基板処理装置の性能測定を行うための温度計測装置に使用する温度センサの校正を行う温度校正方法であって、導電性金属パターンが形成された樹脂製のプリント配線基板に対して、基板処理装置における処理部に配設される温度測定用基板に固定される全ての温度センサと、この温度センサに対応する対をなす導線とを接続する接続工程と、プリント配線基板をそこに接続された温度センサおよび導線とともに、温度制御された液体中に浸漬し、そのときの温度センサの出力信号を測定する動作を液体の温度を変更して複数回実行する測定工程と、前記測定工程における液体の温度と、そのときの温度センサの出力信号とに基づいて、センサの温度校正を行う校正工程と、を備えたことを特徴とする。
【００１２】
請求項５に記載の発明は、請求項４に記載の発明において、前記樹脂性のプリント配線基板は、極薄で屈曲可能であり、前記測定工程においては、前記プリント配線基板を屈曲させて複数の温度センサをまとめた状態でオイルバス内に投入する。
【００１３】
請求項６に記載の発明は、請求項４または請求項５に記載の発明において、前記測定工程は、温度制御された液体中に浸漬された複数の温度センサのうち、一つの温度センサについて、そのときの出力信号を測定するステップと、前記液体に浸漬されている前記一つのセンサの出力値と他の温度センサの個々の出力値とを比較することによって、前記一つのセンサと他の温度センサとが同じ温度の液体に浸漬されたときの、前記一つのセンサの出力値に対する他のセンサの各々の出力値の相関データを把握するステップとを含み、前記校正工程においては、前記一つの温度センサについては、前記測定工程における液体の温度と、そのときの温度センサの出力信号とに基づいて温度校正を行い、他の温度センサについては、前記一つの温度センサを基準として、前記相関データを用いて校正を行う。
【発明の効果】
【００１４】
請求項１に記載の発明によれば、簡易な構成でありながら基板の温度を正確に測定することが可能となる。
【００１５】
また、第１パターン部および第２パターン部より熱抵抗が大きい接続部の作用により、センサと導線間の熱の伝達を小さくすることができ、導線による放熱の影響を最小とすることが可能となる。
【００１６】
請求項２に記載の発明によれば、プリント配線基板の熱容量を小さくすることができ、より精度の高い測定を行うことが可能となる。
【００１７】
請求項３に記載の発明によれば、導線を容易に基板上に固定することが可能となる。
【００１８】
請求項４に記載の発明によれば、簡易な構成でありながら温度計測装置および温度計測装置に使用する温度センサの温度校正を正確に行うことが可能となる。
【００１９】
請求項５に記載の発明によれば、プリント配線基板の熱容量を小さくすることができ、かつ、複数のセンサの温度校正作業を一括して行うことが可能となる。
【００２０】
請求項６に記載の発明によれば、複数のセンサ間の相対誤差の少ない校正を行うことができる。
【発明を実施するための最良の形態】
【００２１】
以下、この発明の実施の形態を図面に基づいて説明する。図１は、この発明に係る温度計測装置の概要図である。
【００２２】
この温度計測装置は、熱処理プレート５１を有する熱処理装置５の性能測定を行うためのものであり、温度測定用基板Ｗの温度を測定する温度測定部４と、この温度測定部４による測定値に基づいて温度を計測する温度計測部２と、入出力部および表示部として機能するパーソナルコンピュータ３とを備える。
【００２３】
図２は、温度測定部４の平面図である。
【００２４】
この温度測定部４は、温度測定用基板Ｗを利用して熱処理装置５の性能測定を行うためのものであり、温度測定用基板Ｗに固定された１７個のセンサ部１０と、これらのセンサ部１０に接続された導線１８と、導線１８を温度測定用基板Ｗに固定するためのケーブルクランプ３１、３２と、１７本の導線１８が一体となったケーブル１９を温度測定用基板Ｗに固定するためのクランプ２２とを備える。
【００２５】
図３は、ケーブルクランプ３１の斜視図である。
【００２６】
このケーブルクランプ３１は、ポリイミド等の樹脂製のチューブに対して切り込みを設けたものであり、その内部に単一の導線１８を収納するものである。このケーブルクランプ３１は、温度測定用基板Ｗに形成された凹部内において、熱可塑性で耐熱性を有する接着剤により、温度測定用基板Ｗに対して接着される。
【００２７】
なお、前記ケーブルクランプ３１およびケーブルクランプ３２における各切り込みは、チューブに対して、チューブの長手方向に沿ってチューブを縦割り状に切る方向での切り込みである。別に表現すれば、チューブの円筒断面がアルファベットのＣの文字のように切断する切り込みである。このように切り込みを施したチューブでケーブルクランプ３１や、ケーブルクランプ３２を構成することによって、ケーブルクランプ３１やケーブルクランプ３２を、温度測定用基板Ｗに接着した後で、導線１８を温度測定用基板に固定することができる。
【００２８】
図４は、ケーブルクランプ３２の斜視図である。
【００２９】
このケーブルクランプ３２も、ポリイミド等の樹脂製のチューブに対して切り込みを設けたものであり、その内部に１７本の導線１８をまとめて収納するものである。このケーブルクランプ３２も、温度測定用基板Ｗに形成された凹部内において、熱可塑性で耐熱性を有する接着剤により、温度測定用基板Ｗに対して接着される。
【００３０】
図５はセンサ部１０の平面図であり、図６はその側断面図である。
【００３１】
このセンサ部１０は、温度測定用基板Ｗに形成された凹部（図６参照）内で温度測定用基板Ｗに接着された温度センサ１５を備える。この温度センサ１５は、耐熱性を有するセラミックス系の接着剤により、温度測定用基板Ｗに形成された凹部に対して接着されている。この温度センサとしては、水晶振動子の共振周波数を利用した温度センサ（以下「水晶温度センサ」という）が使用される。この水晶温度センサを使用した場合には、ノイズの影響を受けにくく、高分解能、高精度、高安定性を得ることが可能となる。但し、水晶温度センサのかわりに、例えば、白金抵抗体や熱電対等の温度検知部材を使用した温度センサを使用してもよい。
【００３２】
また、このセンサ部１０は、一対の導電性金属パターンが形成された樹脂製のプリント配線基板１４を備える。この一対の導電性金属パターンは、各々、温度センサ１５における一対の電極と接続された第１パターン部１１と、一対の導線１６、１７と接続された第２パターン部１２と、第１パターン部１１と第２パターン部１２とを接続する接続部１３とから構成される。温度センサ１５における一対の電極と第１パターン部１１と、あるいは、一対の導線１６、１７と第２パターン部１２とは、ドータイトにより接続されるか、半田付けされる。
【００３３】
第１パターン部１１と第２パターン部１２とは、温度センサ１５の電極や導線１６、１７と接続する都合上、一定の面積を有する。これに対して接続部１３は、熱抵抗を大きくすることにより、温度センサ１５と導線１６、１７間の熱の伝達を小さくする目的から、その面積は通電に支障がない範囲で小さく設定されている。なお、熱抵抗を必要な大きさとするためには、平面視におけるこの接続部の面積（すなわち、通電部の断面積）は、平面視における第１パターン部１１および第２パターン部１２の面積（すなわち通電部の断面積）の三分の一以下とすることが好ましい。
【００３４】
プリント配線基板１４は、ポリイミド等の極薄の樹脂から構成される。そして、このプリント基板１４は、耐熱性の両面テープまたは熱可塑性の耐熱性を有する接着剤２０により、温度測定用基板Ｗの表面に接着される。
【００３５】
一対の導線１６、１７は、一方が心線、他方が外皮となった同軸ケーブルの外周に、フッ素樹脂製のカバーを包囲した導線１８となり、上述したケーブルクランプ３１、３２により温度測定用基板Ｗの表面に固定される。
【００３６】
図７は、センサ部１０の製造行程を示す説明図である。
【００３７】
センサ部１０を構成するプリント配線基板１４は、ポリイミド等の極薄の樹脂製の連結部２１により１７個連結された状態で製作される。そして、この状態において、プリント配線基板１４の第１パターン部１１および第２パターン部１２に、温度センサ１５と導線１８とが接続される。
【００３８】
このようにして製造されたセンサ部１０は、所定の温度に温調されたオイルを貯留するオイルバス内に浸漬され、その測定温度の校正が行われる。このとき、１７個のセンサ部１０が連結されていることから、温度校正作業を一括して実行することができ、作業効率を向上させることができる。なお、この温度校正作業については、後程詳細に説明する。
【００３９】
そして温度校正後のセンサ部１０は、プリント配線基板１４を切断することによって、個別に分割されて温度測定用基板Ｗ上に固定される。
【００４０】
この温度測定部４を使用して、熱処理プレート５１を有する熱処理装置５により処理される温度測定用基板の温度がどのように変化しているのかを測定する場合には、温度測定用基板Ｗを熱処理プレート５１上に載置し、この温度測定用基板Ｗを熱処理プレート５１により加熱する。そのときの温度測定用基板Ｗの温度は、センサ部１０の温度センサ１５により測定され、その出力信号は導線１８（ケーブル１９）を介して温度計測部２に送信される。温度計測部２は、温度センサ１５による測定値に基づいて温度を計測し、その情報を記憶するとともに、パーソナルコンピュータ３の表示画面に表示する。
【００４１】
このとき、上述した温度測定部４においては、温度センサ１５と導線１８とをポリイミド樹脂のような極薄の樹脂から構成されるプリント配線基板１４により接続するので、プリント配線基板の熱容量や熱伝導、放熱の影響を防止して誤差の少ない温度測定を実行することが可能となる。プリント配線板の厚みは熱抵抗を大きく、熱容量を小さくするため、５００μｍから３０μｍ程度である。なお、取り扱い強度等に支障が無い限り、できるだけ薄くすることが、更に望ましい。このとき、接続部１３の面積が通電に支障がない範囲で小さく設定されていることから、この熱抵抗が大きい接続部１３の作用により、温度センサ１５と導線１８間の熱の伝達を小さくすることができ、導線１８による放熱の影響を最小とすることができることから、温度測定用基板の温度をより正確に測定することが可能となる。
【００４２】
また、プリント配線基板１４を使用することにより、多数の温度センサ１５を温度測定用基板Ｗに取り付ける場合の作業性を向上することが可能となり、また、温度測定用基板Ｗや温度センサ１５の交換も容易となる。また、ポリイミド樹脂のような極薄の樹脂から構成される柔軟なプリント基板１４を使用することにより、外部応力の影響を防止することができる。
【００４３】
さらに、プリント基板１４を使用することにより、多数の温度センサ１５を使用する場合にも、温度センサ１５と導線１８との接続が熱的に均一となり、温度センサ１５間の熱応答性の相対誤差を小さくすることが可能となる。
【００４４】
次に、センサ部１０の温度校正をするためのセンサ部１０の温度校正方法について説明する。図８は、この発明に係るセンサ部１０の温度校正の手順を示すフローチャートである。
【００４５】
センサ部１０の温度校正を行うときには、予め、温度センサ１５をプリント配線基板１４に接続するとともに（ステップＳ１）、一対の導線１６、１７をプリント配線基板１４に接続する（ステップＳ２）。これにより、図７に示すようにポリイミド等の極薄の樹脂製の連結部２１により１７個連結されたセンサ部１０が形成される。この１７個のセンサ部１０は、図２に示すように、温度測定部４における温度測定用基板Ｗに装着される１７個のセンサ部１０である。
【００４６】
そして、この１７個のセンサ部１０を、温度制御されたオイルバス内に一括して投入する（ステップＳ３）。このときには、樹脂性のプリント配線基板１４の柔軟性を利用し、プリント配線基板１４を屈曲させて各センサ部１０を小さくまとめた状態でオイルバス内に投入する。なお、オイルバス内には、例えば、住友スリーエム株式会社製のフッ素系不活性液体であるフロリナートや、シリコーンオイル等の液体（以下、単に「オイル」という）が貯留されている。このオイルバス内のオイルの温度は、摂氏Ｔ１度に設定されている。
【００４７】
オイルバス内の液体の温度はオイルバス内に設置した、基準となる温度計（以下、単に「基準温度計」という）により測定される。この基準となる温度計は予め、ＪＣＳＳ（Ｊａｐａｎ Ｃａｌｉｂｒａｔｉｏｎ Ｓｅｒｖｉｃｅ Ｓｙｓｔｅｍ）における接触式温度計の技術的要求事項適用指針であるＪＣＴ２１３０１等で定められた標準温度計にて、精密に校正されている。
【００４８】
そして、基準温度計が摂氏Ｔ１を示したときに、各センサ部１０からの出力信号を測定して記憶する。より具体的には、温度センサ１５が水晶温度計の場合には、各センサ部１０からの出力信号の周波数を測定して記憶する。また、温度センサ１５が白金抵抗体の場合には、各センサ部１０からの出力信号から抵抗値を測定して記憶する。このときの出力信号の値は、各センサ部１０が温度Ｔ１の時に出力する出力値であると判断される。
【００４９】
次に、オイルの温度をＴ２変更する（ステップＳ４）。このときには、摂氏Ｔ１とは異なる温度Ｔ２に温度制御された別のオイルバス内に１７個のセンサ部１０を一括して投入してもよいし、同じオイルバス内に貯留されたオイルの温度をＴ１からＴ２に変更するようにしてもよい。そして、基準温度計が摂氏Ｔ２を示したときに、各センサ部１０からの出力信号を再度測定して記憶する。このときの出力信号の値は、各センサ部１０が温度Ｔ２の時に出力する出力値であると判断される。
【００５０】
以上の動作を、温度を複数回変更して実行することにより必要な温度変更回数が終了すれば（ステップＳ５）、各温度のデータとそのときの各センサ部１０からの出力信号とから、各センサ部１０の温度校正を行う。すなわち、予め入力した各温度センサ１５の特性と、オイルの温度とそのときの各センサ部１０の出力信号との間系を示す複数のデータとに基づいて、実際の温度とそのときの各センサ部１０の出力信号との関係を示すデータを得る。
【００５１】
これにより、温度測定部４における温度測定用基板Ｗに装着される１７個のセンサ部１０の温度校正を一括して効率的に行うことが可能となる。このとき、１７個のセンサ部１０は、まだ温度測定用基板Ｗに接着する前であるから、１７個のセンサ部１０を一括して投入するのに使用するオイルバスは、１７個のセンサ部１０およびプリント配線基板１４を投入できる大きさであれば十分であって、温度測定用基板Ｗを収容する大きさは必要でない。特に、連結部２１がポリイミド等の極薄の樹脂製であり柔軟性を有することから、センサ部１０を屈曲させることにより、内径が比較的小さな筒状のオイルバスを使用して、温度校正作業を行うことが可能となる。一般に、内径が比較的小さな筒状のオイルバスを使用した場合には、比較的大きなオイルバスを使用した場合に比べて、その内部に貯留したオイルの温度を均一に保ちやすい。このため、温度校正作業をより正確に実行することが可能となる。また、センサ部１０は、１７個に分割される前に温度校正するので、１７個ある導線１８が絡み合って取扱に支障を来すようなことはなく、作業性がよい。
【００５２】
また、この温度校正方法によれば、温度センサ１５および一対の導線１６、１７をプリント配線基板１４に接続した状態で温度校正を行うことから、導線の抵抗や静電容量等の電気的特性を含めた、実際の使用条件に近い形で校正を行うことが可能となる。
【００５３】
上述した実施形態（以下、「第１の実施形態」）においては、１７個のセンサ部１０の全てについて、オイルバス内のオイルの温度をＴ１、Ｔ２・・・と順次変化させたときの出力値を、それらセンサ部１０の温度がＴ１、Ｔ２・・・の時の出力値として校正作業を実行している。しかしながら、一般に、オイルバス内の基準温度計と、校正される温度センサ１５の応答速度の違いから、基準温度計で所定温度に達していても、１７個の全センサ部１０が均一な温度になっていない場合がある。特に基準温度計の応答速度がセンサ部１０に比べて遅い場合、校正誤差が大きくなる傾向がある。
【００５４】
図９は、そのような傾向を説明するために、校正に関係する物品の温度変動を模式的に示す図である。設定温度をＴ１としたときに、オイルバス内の液温が図９の「真の液温」のように変化すると、応答速度の遅い基準温度計ではピーク温度 Ｔ１＋Δｔｃを表示するまでに ｄ１の遅れが生じる。一方、センサ部１０は比較的応答速度が速いため、ピーク温度に達するまでにｄ２の遅れで済む。従って、基準温度計で一旦、設定温度Ｔ１に到達しても、センサ部１０の温度は、すでに真の液温に追従して、変化しており、校正するタイミングによって最大 Δｔｂの誤差を生じることになる。
【００５５】
この図においては、複数のセンサ部１０の測定値を一つのグラフとして表したが、応答速度の異なる基準温度計を用いると、オイルバス内でのセンサ位置等により、１７個のセンサ部毎で温度に差が生じる場合がある。１７個のセンサ部１０を同時に一括して校正しても、応答速度の異なる基準温度計を基準とする限り、１７個のセンサ間の相対誤差も生じやすくなる。
【００５６】
そこで、このような場合でも、正確に校正することが可能な、本発明の第２の実施形態について説明する。
【００５７】
すなわち、第２の実施形態においては、先ず１個のセンサ部１０（以下、「特定センサ部１０」という）のみ上述の校正を行い、他の１６個のセンサ部１０については、先に校正した特定センサ部１０を基準として校正を行う。これにより、応答速度の同じセンサ部１０で測定された温度を基準に校正することになり、センサ部１０の応答速度の影響の少ない、より正確な校正が可能になる。
【００５８】
この第２の実施形態は詳細に説明すると次のとおりである。
【００５９】
予め、温度センサ１５をプリント配線基板１４に接続するとともに、一対の導線１６、１７をプリント配線基板１４に接続する。この１７個のセンサ部１０を、温度制御されたオイルバス内に一括して投入する。ここまでは第１の実施形態と同様である。
【００６０】
そして、基準温度計が摂氏Ｔ１を示したときに、１７個あるセンサ部のうち任意のセンサ部を一つ選び、それを特定センサ部１０として、その特定センサ部の出力信号を測定し記憶する。なお、特定センサ部１０は、１７個あるセンサ部のどれを選んでもよく、どれを選択しても校正精度に差を生じることはない。
【００６１】
次に、オイルの温度をＴ２に変更する。このときには、摂氏Ｔ１とは異なる温度Ｔ２に温度制御された別のオイルバス内に特定センサ部１０を投入してもよいし、同じオイルバス内に貯留されたオイルの温度をＴ１からＴ２に変更するようにしてもよい。そして、基準温度計が摂氏Ｔ２を示したときに、特定センサ部１０からの出力信号を測定して記憶する。このときの出力信号の値は、特定センサ部１０が温度Ｔ２の時に出力する出力値であると判断される。
【００６２】
以上の動作を、温度を複数回変更して実行することにより必要な温度変更回数が終了すれば、各温度のデータとそのときの特定センサ部１０からの出力信号とから、特定センサ部１０の温度校正を行う。すなわち、予め入力した特定センサ部１０における温度センサ１５の特性と、オイルの温度とそのときの特定センサ部１０の出力信号との関係を示す複数のデータとに基づいて、実際の温度とそのときの各センサ部１０の出力信号との関係を示すデータを得る。
【００６３】
次に、他の１６個のセンサ部１０については、先に校正した特定センサ部１０を基準として校正を行う。すなわち、オイルバス内にある特定センサ部１０の出力信号を測定するのと同時に、他の１６個のセンサ部１０の出力信号を測定し、それら１７ある全てのセンサ部１０の出力信号を記憶する。この作業により、特定センサ部１０と同じ温度において、特定センサ部１０の出力値に対する他の１６個のセンサ部１０の各々の出力値との相関データを把握することができる。なお、センサ部１０の出力値は、温度に対して必ずしも直線比例の関係にあるとは限らないので、前記相関データは、複数の温度で測定しておくことが望ましい。ただし、その温度は、特定センサ部１０に対する他の１６個のセンサ部１０個々の相関データを把握できればよいので、前記した摂氏Ｔ１や摂氏Ｔ２の温度である必要はない。
【００６４】
前記した作業により得た前記相関データを用いて、他の１６個のセンサ部１０については、先に校正した特定センサ部１０を基準として校正を行う。これにより、温度測定部４における温度測定用基板Ｗに装着される１７個のセンサ部１０の温度校正を正確に行うことが可能となる。
【００６５】
第２の実施形態では、先に特定センサ部１０を校正し、他の１６個のセンサ部１０については、先に校正した特定センサ部１０を基準として校正を行うが、それら他の１６個のセンサ部１０については、基準温度計を使用することないので、Δｔｂを小さく抑えられ、かつ基準とする温度計の応答速度が校正される温度計の応答速度と同じであるため、１７個のセンサ間の相対誤差の少ない校正を実現できる。
【図面の簡単な説明】
【００６６】
【図１】この発明に係る温度計測装置の概要図である。
【図２】温度測定部４の平面図である。
【図３】ケーブルクランプの斜視図である。
【図４】ケーブルクランプの斜視図である。
【図５】センサ部の平面図である。
【図６】センサ部の側断面図である。
【図７】センサ部の製造行程を示す説明図である。
【図８】温度校正の手順を示すフローチャートである。
【図９】校正に関する物品の温度変動を模式的に示す図である。
【符号の説明】
【００６７】
２ 温度計測部
３ パーソナルコンピュータ
４ 温度測定部
５ 熱処理装置
１０ センサ部
１１ 第１パターン部
１２ 第２パターン部
１３ 接続部
１４ プリント配線基板
１５ 温度センサ
１６ 導線
１７ 導線
１８ 導線
１９ ケーブル
２０ 熱可塑性の耐熱性を有する接着剤
２１ 連結部
２２ クランプ
３１ ケーブルクランプ
３２ ケーブルクランプ
５１ 熱処理プレート
Ｗ 温度測定用基板
【図１】
0005134484.tif 000002
【図２】
0005134484.tif 000003
【図３】
0005134484.tif 000004
【図４】
0005134484.tif 000005
【図５】
0005134484.tif 000006
【図６】
0005134484.tif 000007
【図７】
0005134484.tif 000008
【図８】
0005134484.tif 000009
【図９】
0005134484.tif 000010